【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
案件を回覧しながら業務を進めるワークフローの処理をコンピュータを用いて行なうワークフローシステムであって、
各案件を管理するために、各案件を特定する識別子、案件の状態、および案件の定義番号を保持する案件管理テーブルと、
案件の定義番号ごとに、その案件の削除時に行なうべき処理を記憶した削除時処理定義記憶手段と、
案件の削除要求を受けて、前記案件管理テーブルを参照し、削除対象の案件を選択する手段と、
選択された案件の定義番号に対応する削除時処理定義を前記削除時処理定義記憶手段から読み出して実行する手段と、
選択された案件を、前記案件管理テーブルから削除する手段と
を備えたことを特徴とするワークフローシステム。
【請求項２】
請求項１に記載のワークフローシステムにおいて、
前記案件管理テーブルは、各案件が完了しているかまたは実行中であるかの案件の状態を保持し、
前記削除対象の案件を選択する手段は、前記案件管理テーブルから案件の状態が完了である案件を、削除対象として選択する
ことを特徴とするワークフローシステム。
【請求項３】
請求項１に記載のワークフローシステムにおいて、
前記案件管理テーブルは、各案件が終了した時刻を保持し、
前記削除対象の案件を選択する手段は、前記案件管理テーブルから各案件が終了した時刻を参照し、終了時刻から所定時間が経過している案件を、削除対象として選択する
ことを特徴とするワークフローシステム。
【請求項４】
請求項１に記載のワークフローシステムにおいて、
前記削除時処理定義記憶手段は、案件の削除時に行なうべき処理の処理対象と処理内容を記憶しており、
前記削除時処理定義を読み出して実行する手段は、前記処理対象に対して、前記処理内容の処理を実行する
ことを特徴とするワークフローシステム。
【請求項５】
案件を回覧しながら業務を進めるワークフローの処理をコンピュータを用いて行なうワークフローシステムに適用する案件削除方法であって、
コンピュータが備える案件管理手段が、各案件を管理するために、各案件を特定する識別子、案件の状態、および案件の定義番号を、案件管理テーブルに記憶するステップと、
コンピュータが備える削除時処理定義登録手段が、案件の定義番号ごとに、その案件の削除時に行なうべき処理を、削除時処理定義記憶手段に記憶するステップと、
コンピュータが備える削除対象選択手段が、案件の削除要求を受けて、前記案件管理テーブルを参照し、削除対象の案件を選択するステップと、
コンピュータが備える削除時処理実行手段が、選択された案件の定義番号に対応する削除時処理定義を前記削除時処理定義記憶手段から読み出して実行するステップと、
コンピュータが備える案件削除手段が、選択された案件を、前記案件管理テーブルから削除するステップと
を備えたことを特徴とするワークフローシステムの案件削除方法。
【請求項６】
請求項５に記載のワークフローシステムの案件削除方法において、
前記案件管理テーブルは、各案件が完了しているかまたは実行中であるかの案件の状態を保持し、
前記削除対象の案件を選択するステップは、前記案件管理テーブルから案件の状態が完了である案件を、削除対象として選択する
ことを特徴とするワークフローシステムの案件削除方法。
【請求項７】
請求項５に記載のワークフローシステムの案件削除方法において、
前記案件管理テーブルは、各案件が終了した時刻を保持し、
前記削除対象の案件を選択するステップは、前記案件管理テーブルから各案件が終了した時刻を参照し、終了時刻から所定時間が経過している案件を、削除対象として選択する
ことを特徴とするワークフローシステムの案件削除方法。
【請求項８】
請求項５に記載のワークフローシステムの案件削除方法において、
前記案件の削除時に行なうべき処理を記憶するステップは、前記削除時処理定義記憶手段に、案件の削除時に行なうべき処理の処理対象と処理内容を記憶するものであり、
前記削除時処理定義を読み出して実行するステップは、前記処理対象に対して、前記処理内容の処理を実行するものである
ことを特徴とするワークフローシステムの案件削除方法。
【請求項９】
案件を回覧しながら業務を進めるワークフローの処理をコンピュータを用いて行なうワークフローシステムに適用する案件削除方法に係るプログラムであって、
コンピュータを、
案件の削除要求を受けて、各案件を特定する識別子、案件の状態、および案件の定義番号を記憶した案件管理テーブルを参照し、削除対象の案件を選択する手段と、
選択された案件の定義番号に対応する削除時処理定義を、案件の定義番号ごとにその案件の削除時に行なうべき処理を記憶した削除時処理定義記憶手段から、読み出して実行する手段と、
選択された案件を、前記案件管理テーブルから削除する手段と
して機能させることを特徴とする案件削除方法に係るプログラム。
【請求項１０】
請求項９に記載のワークフローシステムの案件削除方法に係るプログラムにおいて、
前記案件管理テーブルは、各案件が完了しているかまたは実行中であるかの案件の状態を保持し、
前記削除対象の案件を選択する手段は、前記案件管理テーブルから案件の状態が完了である案件を、削除対象として選択する
ことを特徴とする案件削除方法に係るプログラム。
【請求項１１】
請求項９に記載のワークフローシステムの案件削除方法に係るプログラムにおいて、
前記案件管理テーブルは、各案件が終了した時刻を保持し、
前記削除対象の案件を選択する手段は、前記案件管理テーブルから各案件が終了した時刻を参照し、終了時刻から所定時間が経過している案件を、削除対象として選択する
ことを特徴とする案件削除方法に係るプログラム。
【請求項１２】
請求項９に記載のワークフローシステムの案件削除方法に係るプログラムにおいて、
前記案件の削除時に行なうべき処理は、案件の削除時に行なうべき処理の処理対象と処理内容からなり、
前記削除時処理定義を読み出して実行する手段は、前記処理対象に対して、前記処理内容の処理を実行するものである
ことを特徴とする案件削除方法に係るプログラム。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
【課題を解決するための手段】
上記目的を達成するため、本発明は、案件を回覧しながら業務を進めるワークフローの処理をコンピュータを用いて行なうワークフローシステムであって、各案件を管理するために、各案件を特定する識別子、案件の状態、および案件の定義番号を保持する案件管理テーブルと、案件の定義番号ごとに、その案件の削除時に行なうべき処理を記憶した削除時処理定義記憶手段と、案件の削除要求を受けて、前記案件管理テーブルを参照し、削除対象の案件を選択する手段と、選択された案件の定義番号に対応する削除時処理定義を前記削除時処理定義記憶手段から読み出して実行する手段と、選択された案件を、前記案件管理テーブルから削除する手段とを備えたことを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
また本発明は、案件を回覧しながら業務を進めるワークフローの処理をコンピュータを用いて行なうワークフローシステムに適用する案件削除方法であって、コンピュータが備える案件管理手段が、各案件を管理するために、各案件を特定する識別子、案件の状態、および案件の定義番号を、案件管理テーブルに記憶するステップと、コンピュータが備える削除時処理定義登録手段が、案件の定義番号ごとに、その案件の削除時に行なうべき処理を、削除時処理定義記憶手段に記憶するステップと、コンピュータが備える削除対象選択手段が、案件の削除要求を受けて、前記案件管理テーブルを参照し、削除対象の案件を選択するステップと、コンピュータが備える削除時処理実行手段が、選択された案件の定義番号に対応する削除時処理定義を前記削除時処理定義記憶手段から読み出して実行するステップと、コンピュータが備える案件削除手段が、選択された案件を、前記案件管理テーブルから削除するステップとを備えたことを特徴とする。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
また本発明は、案件を回覧しながら業務を進めるワークフローの処理をコンピュータを用いて行なうワークフローシステムに適用する案件削除方法に係るプログラムであって、コンピュータを、案件の削除要求を受けて、各案件を特定する識別子、案件の状態、および案件の定義番号を記憶した案件管理テーブルを参照し、削除対象の案件を選択する手段と、選択された案件の定義番号に対応する削除時処理定義を、案件の定義番号ごとにその案件の削除時に行なうべき処理を記憶した削除時処理定義記憶手段から、読み出して実行する手段と、選択された案件を、前記案件管理テーブルから削除する手段として機能させることを特徴とする。